(57)【要約】【課題】複数個のバッテリーセルを内蔵した複数種類のバッテリーパックを構成できるバッテリーパックをを提供する。【解決手段】２個のバッテリーセルを横並びに内蔵し、両側面の底面近傍に第１の係合手段と第２の係合手段とを有し、２個のバッテリーセル間の底面中央部には第３の係合手段を有すると共に、正極および負極端子を一つの端面の底面近傍であって、第１の係合手段と第３の係合手段との間に配設する。底面形状の異なるバッテリーパックの端子形状を１個のセルを内蔵する最小単位構成のバッテリーパックの端子形状に統一できる。【選択図】  図２
2007115717.tif 000002
【特許請求の範囲】
【請求項１】
２個のバッテリーセルを横並びに内蔵するバッテリーパックにおいて、両側面の底面近傍に第１の係合手段と第２の係合手段とを有し、前記２個のバッテリーセル間の底面中央部には第３の係合手段を有すると共に、正極および負極端子を一つの端面の底面近傍であって、前記第１の係合手段と前記第３の係合手段との間に配設したことを特徴とするバッテリーパック。
【請求項２】
前記正極および負極端子の中心の間隔がバッテリーセルの幅よりも小さいことを特徴とする請求項１のバッテリーパック。
【発明の詳細な説明】
【技術分野】
【０００１】
本発明はバッテリーパック、バッテリーチャージャーおよびバッテリーパックを使用する電子機器に関し、特に、任意の本数のバッテリーセルを内蔵した複数種類のバッテリーパック、当該バッテリーパックを充電可能なバッテリーチャージャーおよび当該バッテリーパックを使用可能な電子機器に関するものである。
【背景技術】
【０００２】
図４は、従来のバッテリーパックの構成を示す側面図である。従来のバッテリーパック５０は例えば２個のバッテリーセル５１、５２を内蔵し、正極および負極端子５３、５４の位置は側面の両端に設けられていた（特許文献１参照）。
また、このバッテリーパックを充電するバッテリーチャージャーやバッテリーパックを使用する例えば記録装置内蔵型ビデオカメラやビデオライト等の電子機器においては、当該バッテリーパックのみが係合するように構成され、高容量タイプのバッテリーパックは、例えば厚さ方向にセルを重ねることによって、高容量化を図り、かつバッテリーチャージャーや電子機器に係合可能に構成していた。
【特許文献１】特開平５−２０５７１２号公報
【発明の開示】
【発明が解決しようとする課題】
【０００３】
前記したような、従来のバッテリーパックや、当該パックを取り付けるバッテリーチャージャーや電子機器においては、少なくともパックの底面が同一形状であるバッテリーパックのみが取り付け、使用が可能であるために、パックの形状や容量において柔軟性、拡張性に欠けるという問題点があった。
【０００４】
本発明の目的は、前記のような従来技術の問題点を解決し、任意の本数のバッテリーセルを内蔵した複数種類のバッテリーパック、当該バッテリーパックを充電可能なバッテリーチャージャーおよび当該バッテリーパックを使用可能な電子機器を提供することにある。
【課題を解決するための手段】
【０００５】
本発明のバッテリーパックは、２個のバッテリーセルを横並びに内蔵し、両側面の底面近傍に第１の係合手段と第２の係合手段とを有し、前記２個のバッテリーセル間の底面中央部には第３の係合手段を有すると共に、正極および負極端子を一つの端面の底面近傍であって、前記第１の係合手段と前記第３の係合手段との間に配設する。
【発明の効果】
【０００６】
本発明によれば、底面形状の異なる各バッテリーパックの端子形状を最小単位構成のバッテリーパックの端子形状に統一し、また、装置側の形状も任意の底面形状のバッテリーパックが係合可能に構成できる、電子機器において、様々な形状、容量のバッテリーパックを使用可能となるという効果がある。
【発明を実施するための最良の形態】
【０００７】
以下、本発明の実施の形態を詳細に説明する。図１は最小単位であるバッテリーセル１個を内蔵するバッテリーパックを示している。最近の電子機器においては、バッテリーセル１個の電圧、例えば1.2 〜3.6 ボルトの電圧で動作可能なものが存在する。従って、バッテリーパックもこれに対応して、セル１個のものを最小構成とする。
【０００８】
バッテリーパック１０にはバッテリーセル１１が内蔵され、長手方向の一方の側面には、セルの電力を取り出す正極および負極端子１２、１３、およびセルの充電残量を検出するための通信端子１４が設けられている。正極および負極端子１２、１３は中空の円筒形の電極であり、両電極の円筒形の中心軸間の距離は、バッテリーセル１１の幅（直径）よりも狭くなっている。通信端子１４は板状の電極であり、更にその他の機能を有する端子を任意個数設けてもよい。
【０００９】
幅方向の両側面の底面（チャージャーや電子機器と接触する面）近傍には、バッテリーパックをチャージャーや電子機器と係合させるための係合手段である凹部１５、１６が設けられており、４つの凹部１５、１６と、後述するチャージャーや電子機器の係合手段である爪とを係合させて、バッテリーパックをチャージャーや電子機器に固定する。なお、窪み１７は、チャージャーや電子機器の突起と対応する位置に設けられ、対応する位置に窪みのあるバッテリーパックのみがチャージャーや電子機器に取り付け可能にするためのものである。
【００１０】
図２は、本発明を適用したバッテリーパックの構造を示すブロック図である。
図２（ａ）は、バッテリーセル２個を内蔵するバッテリーパックの構成を示す側面図である。バッテリーパックの底面には、パックをチャージャーや電子機器に装着する場合の位置決めのための溝２０が設けられており、当該溝２０を後述するチャージャーや電子機器に設けられた帯状突起部と係合させて装着することにより、所定の位置に装着可能となる。また、溝２０の途中には、チャージャーや電子機器の爪と係合するか、あるいは係合しない凹部が設けられており、幅方向の両側面の底面近傍には、図１に示すバッテリーパックと同様の凹部２１が設けられている。
【００１１】
図２（ｂ）は、本発明バッテリーパックにバッテリーセルを１個追加して３個を内蔵するバッテリーパックの構成を示す側面図である。バッテリーパックの底面には、図２（ａ）と同様にパックをチャージャーや電子機器に装着する場合の位置決めのための溝２０が設けられている。また、中央のセルと右側のセルの間の底面には、チャージャーや電子機器の爪と係合するための凹部２２が設けられており、幅方向の右側側面には凹部は設けられていない。
図２（ｃ）、（ｄ）、（ｅ）はそれぞれ図１、図２（ａ）、図２（ｂ）のバッテリーセルにおいて、セルを高さ方向に２個重ねて高容量化した例である。それぞれの底面形状はセルが１層のものと同一である。
【００１２】
図３は、バッテリーチャージャーあるいは電子機器のバッテリーパック取り付け面の構成を示す正面図および点線部分における断面図である。電子機器３０のバッテリーパック取り付け面には、バッテリーパックを係合、保持するための係合手段である爪３１、３２、３４〜３７が設けられている。
【００１３】
ピン３８、３９はバッテリーパックの正極および負極端子１２、１３と接触して充電あるいは放電を行うための端子であり、１セル用のパックの端子位置と対応する位置に設けられている。チャージャーの場合にはショート防止のために、通常はピン３８、３９を覆い、パック取り付け時には装置３０の内部に引っ込む構造のピンカバー４０が設けられている。なお、この他にパックの通信端子１４と接触するピンも存在する。
【００１４】
図３（ｂ）は、１個のセルを内蔵するバッテリーパックを装置に取り付けた場合の構成を示す側面図である。パック１０を取り付ける場合には、まずパック１０の幅方向の両側面（２個以上のセルの場合は側面と底面でもよい）に設けられた凹部１５、１６と、電子機器のバッテリーパック取り付け面に設けられた爪３１、３２、３４、３５の位置とを合わせて、パック１０の底面を電子機器のバッテリーパック取り付け面に接触させ、その後パック１０を上方に移動させて爪と凹部とを係合、固定させると共に、パックの端子１２、１３と装置のピン３８、３９とを接続させる。なお図３（ｂ）の点線４２は２セル内蔵のパックを取り付けた場合の位置を示しており、３セル内蔵のパックの場合には更に左側に延び、装置からはみ出すことになる。
【００１５】
爪３１、３２は取り付け面の右側の突起部４１に設けられており、全てのバッテリーパックと係合する。中央の帯状突起部３３に設けられた爪３４、３５は少なくともセルが１個のバッテリーパックと係合するための爪である。セルが幅方向に２個以上装備されるバッテリーパックにおいては、左側の爪３６、３７と係合するので、中央の帯状突起部３３に設けられた爪３４、３５とは係合してもよいし、しなくてもよい。
図３において、バッテリーパック取り付け面の左側の辺（図においてＡで示している）および下側の辺（Ｂ）には突起部分が無く、開放されている。従って、バッテリーセルを任意の個数だけ並列あるいは直列に並べた任意の形状のバッテリーパックを取り付け可能である。なお、全てのバッテリーパックを右側の爪３１、３２および中央の爪３４、３５で係合、保持することも可能であり、この場合には左側の爪３６、３７は不要であるが、大きなパックの場合には左側の爪３６、３７を使用した方が安定して保持できる。
【００１６】
以上、本発明の実施例を開示したが、本発明には下記のような変形例も考えられる。実施例においては、機器のバッテリーパック取り付け面の内の２方向が開放されている例を開示したが、例えばピンを配置した突起部分以外の３方向を開放する構成も考えられ、このようにすると、例えば図２（ｂ）の３個のセルを内蔵するパックの場合に、端子を中央のセルの両側に配置する構成も取り得る。なお、左右のどちらかの辺のみ、あるいは下方の辺のみを開放する構成も考えられる。
また、バッテリーパックのカバーが設けられる場合など、機器のパック取り付け部が閉鎖された空間となる場合も考えられる。この場合においても、少なくとも２個のセルを並列に内蔵するバッテリーパックを取り付け可能なバッテリーパック取り付け平面を有していれば、本発明をそのまま適用可能である。
バッテリーパックと機器とを係合する手段としては、機器側に爪を３列設ける例を開示したが、例えば３セル以上を内蔵するのパックの両側面に係合するための４列目以上の爪を更に設けてもよい。更にパック側に爪を設け、機器側に凹部あるいは孔を設けるような係合手段も考えられる。
【図面の簡単な説明】
【００１７】
【図１】バッテリーセルを１個内蔵したバッテリーパックの構造を示すブロック図である。
【図２】本発明を適用したバッテリーパックの構造を示すブロック図である。
【図３】機器のバッテリーパック取り付け面の構成を示す正面図および点線部分における断面図である。
【図４】従来のバッテリーパックの構成を示す側面図である。
【符号の説明】
【００１８】
１０…バッテリーパック、１１バッテリーセル、１２、１３、１４…端子、１５、１６、１７、２１、２２…凹部、２０…溝、３０…機器、３１、３２、３４〜３７…爪、３３…帯状突起部、３８、３９…ピン、４０…ピンカバー、４１…突起部
【図１】
2007115717.tif 000003
【図２】
2007115717.tif 000004
【図３】
2007115717.tif 000005
【図４】
2007115717.tif 000006